(57)【特許請求の範囲】
【請求項１】
電子レンジ加熱用の包装袋であって、表フィルムと、裏フィルムと、前記表フィルムにおいて突出形成される背貼り部と、前記背貼り部に形成される、電子レンジ加熱により剥離開口する弱化部とを備え、前記弱化部を弱化部の幅で通過し、かつ前記背貼り部の長手方向に直交する方向に向かって前記表フィルムに延びる帯状領域内において、前記背貼り部を挟んで一側に前記表裏両フィルムを固着してなる固着部が形成された包装袋。
【請求項２】
前記固着部は、前記背貼り部に近い側が前記背貼り部に近づくほど先細り形状とされた請求項１記載の包装袋。
【請求項３】
前記背貼り部の長手方向を包装袋の左右方向としたときに、前記固着部は、前記表フィルムの上下端部のうち、前記背貼り部に近い側の端部から前記背貼り部に向けて突出する、輪郭形状が略三角形状又は略台形状に形成された請求項１又は２に記載の包装袋。
【請求項４】
前記弱化部は、前記背貼り部の長手方向中央部において、前記背貼り部の長手方向両端部よりもシール幅が狭く、内側方向に突出するように折曲形成してなる請求項１〜３のいずれか一項に記載包装袋。
【請求項５】
前記固着部は、前記背貼り部に近い部分が少なくとも前記帯状領域内に位置する請求項１〜４のいずれか一項に記載の包装袋。
【発明の詳細な説明】
【技術分野】
【０００１】
本発明は、電子レンジ加熱用の包装袋に関し、特に、加熱によって包装袋内で発生する過剰蒸気による破袋を防止可能な包装袋に関する。
【背景技術】
【０００２】
現在、包装袋に収容した調理済又は半調理済の食品を、包装袋のまま電子レンジで加熱して調理する包装食品がよく利用されている。しかし、このような包装袋を電子レンジで加熱すると、包装袋の内圧が上昇して破袋し、包装袋に収容された食品が飛散して電子レンジの庫内を汚すという問題があった。
【０００３】
上記問題を解決するため、特許文献１には、電子レンジを加熱調理した際の圧力上昇時に応力を集中させるためのフィルム合掌部（背貼り部）に湾曲形状の蒸気抜きシール部を設け、その蒸気抜きシール部を優先的に剥離させることでそこから蒸気を外部に放出する包装袋が開示されている。
【０００４】
図６は、上記構成の包装袋の一態様を示す模式概略図である。包装袋は、表フィルム２１と図示しない裏フィルムの周縁部をヒートシールしてなる。表フィルム２１には、帯状の背貼り部２２が突出形成される。背貼り部２２は、２枚のフィルムの端部内面同士をヒートシールすることで形成される。背貼り部２２は、パターン状に形成されたヒートシール部２３を備える。
【０００５】
ヒートシール部２３は、背貼り部２２の長手方向両端部から中央部に行くに従ってヒートシール幅が狭くなるように形成され、背貼り部２２の長手方向中央部には弱化部２４としてヒートシール部２３全体のうち最も狭いヒートシール幅で内側方向に向かって突出するよう折曲形成される。
【０００６】
上記構成の包装袋では、加熱時に内圧の上昇によって弱化部２４が剥離して開口し、包装袋の破裂、変形及び包装袋の破裂による内容物の吹きこぼれを防止できるという効果を奏する。
【先行技術文献】
【特許文献】
【０００７】
【特許文献１】特開２００２−８００７２号公報
【発明の概要】
【発明が解決しようとする課題】
【０００８】
ところで、包装袋を電子レンジ加熱して表フィルム２１が全体的に外方に膨らむとき、背貼り部２２は、表フィルム２１から起立した姿勢では不安定となり、表フィルム２１に接するように倒れた姿勢をとる。この状態では、弱化部２４に形成された開口が十分開くことができず、包装袋内部で発生した蒸気を外部に放出する際に音が鳴り、使用者を驚かせてしまう場合があった。
【０００９】
そこで、本発明においては、電子レンジ加熱によって袋内部で発生する蒸気による破袋を防止しつつ音の発生を抑制可能な包装袋を提供することを目的とする。
【課題を解決するための手段】
【００１０】
上記課題を解決するために、本発明の一態様としての電子レンジ加熱用の包装袋は、表フィルムと、裏フィルムと、前記表フィルムにおいて突出形成される背貼り部と、前記背貼り部に形成される、電子レンジ加熱により剥離開口する弱化部とを備え、前記弱化部をその弱化部の幅で通過し、かつ前記背貼り部の長手方向に直交する方向に向かって前記表フィルムに延びる帯状領域内に、前記表裏両フィルムを固着してなる固着部が形成された構成とする。
【００１１】
前記固着部は、前記背貼り部に近い側が前記背貼り部に近づくほど先細り形状となるようにしてもよい。
【００１２】
前記背貼り部の長手方向を包装袋の左右方向としたとき、前記固着部は、前記表フィルムの上下端部のうち、前記背貼り部に近い側の端部から前記背貼り部に向けて突出する、輪郭形状が略三角形状又は略台形状に形成してもよい。
【００１３】
前記弱化部は、前記背貼り部の長手方向中央部において、前記背貼り部の長手方向両端部よりもシール幅が狭く、内側方向に突出するように折曲形成してもよい。
【００１４】
前記固着部は、前記背貼り部に近い部分が少なくとも前記帯状領域内に位置する構成としてもよい。
【発明の効果】
【００１５】
上記態様によれば、表フィルムにおいて、背貼り部を挟んで一側に固着部が形成されたため、包装袋を電子レンジで加熱すると、蒸気発生により表フィルムが外方に膨らむ際に、背貼り部の一側は固着部により膨出が制限される。一方、背貼り部の他側は制限なく外方に膨出する。これにより、背貼り部の弱化部に対し、背貼り部の両側から引っ張る力が作用する。したがって、弱化部が剥離して開口が形成されると、開口が広がり、蒸気放出に伴なう音の発生を抑制することが可能となる。
【図面の簡単な説明】
【００１６】
【図１】本発明の第１実施形態の包装袋を示す正面模式図
【図２】図１の包装袋の密封後の状態を示す斜視図
【図３】図２の包装袋が電子レンジ加熱により開口した状態を示す斜視図
【図４】図３の包装袋の断面図
【図５】本発明の第２実施形態の包装袋を示す一部正面模式図
【図６】従来の包装袋を示す正面模式図
【発明を実施するための形態】
【００１７】
［第１実施形態］
以下、本発明の第１実施形態について図面を基に説明する。図１は本実施形態における包装袋を示す正面模式図であり、図２は密封後の包装袋の斜視図である。なお、図１において、矢印Ｘは包装袋の左右方向を示しており、矢印Ｙは包装袋の上下方向を示す。包装袋の表裏、左右方向Ｘおよび上下方向Ｙは、包装袋における各部の相対的位置関係を明らかにするためのものであり、使用時における方向や印刷面の表裏とは必ずしも一致するわけではない。
【００１８】
図１及び図２に示すように、本実施形態の包装袋は矩形状であり、表フィルム１と、裏フィルム２とを互いに対向させて重ね合せた状態で周縁をシールしてなる。これにより、表裏フィルム１、２からなる袋本体３の左右両端に右シール部４及び左シール部５が形成され、袋本体３の上端に上シール部６が形成される。
【００１９】
袋本体３の下端部は開口状態とされ、この下端部の開口から被収容物を袋本体３内に収容した後、袋本体３の下端に下シール部７が形成されて、袋本体３が密封される。なお、袋本体３は、表裏２枚のフィルムを互いに対向させて重ね合わせた状態で周縁をシールした構成でもよいし、１枚のフィルムを折り返して周縁をシールした構成でもよい。
【００２０】
表フィルム１には、背貼り部８が帯状に突出形成される。背貼り部８は、上下方向Ｙにおいて、袋本体３の上部位置で、背貼り部８の長手方向が左右方向Ｘと平行になるように形成される。表フィルム１は、２枚のフィルムの端部内面同士をヒートシールすることで帯状に突出した背貼り部８が形成される。
【００２１】
背貼り部８は、パターン状に形成されたヒートシール部９を備える。ヒートシール部９は、背貼り部８の長手方向（Ｘ方向）両端部から中央部に行くに従ってヒートシール幅が狭くなるように形成され、これにより、背貼り部８の長手方向中央部には弱化部１１が形成される。弱化部１１は、ヒートシール部９全体のうち最も狭いヒートシール幅で内側方向（背貼り部８の基端側）に向かって突出するよう折曲形成される。より具体的には、弱化部１１は、背貼り部８の基端側に向かって先細りとなる台形の輪郭形状に形成される。
【００２２】
包装袋を電子レンジで加熱すると、シール強度の最も小さい弱化部１１が剥離して開口を形成する。本発明では、包装袋を正面視したときに、弱化部１１を弱化部１１の基端幅Ｗで通過し、かつ背貼り部８の長手方向Ｘに直交する方向Ｙに表フィルム１に延びる帯状領域Ａ内に、表フィルム１と裏フィルム２とを固着してなる固着部１２が形成される。帯状領域Ａは上シール部６と下シール部７の間の領域とされる。
【００２３】
固着部１２は、表フィルム１と裏フィルム２とが固着していればよく、表裏フィルム１及び２を接着剤で接着する等の手段で固着することも可能であるが、表裏フィルム１及び２をヒートシールするのが好ましい。固着部は、背貼り部８に近い側が背貼り部８に近づくほど先細りとなる先細り形状とするのが好ましい。
【００２４】
具体的に、固着部１２は、円形や楕円形の全部又は一部形状としたり、多角形状とすることができる。多角形状の固着部１２としては、背貼り部８の長手方向（Ｘ方向）を包装袋の左右方向としたときに、表フィルム１の上下端部のうち、背貼り部８に近い上端部で上シール部６に接する形で背貼り部８に向けて突出する、輪郭形状が略三角形状又は略台形状に形成することができる。
【００２５】
固着部１２は、帯状領域Ａ内に収まる大きさに形成することができる。また、固着部１２は、背貼り部８に近い部分が少なくとも帯状領域Ａ内に位置するように形成することも可能である。これにより、固着部１２のサイズが大きくても、表フィルム１膨張時に弱化部１１に対して上下両側から引っ張る力を弱化部１１に集中させることが可能となる。固着部１２としては、各種形状の輪郭内部全体を固着してもよいし、輪郭に沿って枠状に固着してもよい。
【００２６】
本実施形態では、弱化部１１としてヒートシール幅が狭く、内側方向に向かって突出するよう折曲形成されているが、これに限らず、ヒートシール部９の他の部分よりもシール強度が弱く、蒸気によって剥離が生じて開口するものであればよい。たとえば、本実施形態では、弱化部１１の形状は背貼り部８の基端側に向かって先細りとなる台形の輪郭形状とされているが、三角形の輪郭形状としてもよい。そのほか、電子レンジ加熱により発熱する発熱体を印刷、塗布して弱化部としてもよいし、シール強度を弱める離型剤等を印刷、塗布して弱化部とすることもできる。また、これらを組み合わせることも可能である。
【００２７】
包装袋に用いられる表フィルム１及び裏フィルム２は、少なくとも熱融着可能な樹脂層を備えたものであることが好ましい。これにより、接着剤を用いることなく、シール部４〜７を熱融着により形成することが可能となる。なお、表裏フィルム１、２の構成は、被収容物の性質によって適宜選択することができる。具体的には、袋の外側から基材層及びシーラント層が順次積層され、必要に応じガスバリア層を設けることができる。また、ガスバリア層とシーラント層を積層して構成することもできる。
【００２８】
基材層としては、ポリエチレンテレフタレートフィルム、ポリプロピレンフィルム、ポリアミドフィルム等を使用することができる。ガスバリア層としては、透明蒸着フィルムや、ガスバリア性を有する樹脂フィルムを用いることができる。シーラント層としては、ポリエチレン等のポリオレフィン樹脂を好適に用いることができる。
【００２９】
上記構成の包装袋は、電子レンジ加熱することで、図３及び図４に示すように、被収容物から発生する蒸気により表裏フィルム１及び２が外方に膨らむ。その際に、帯状領域Ａにおいて、背貼り部８を挟んで包装袋の上側の領域は、固着部１２によって膨出が制限される。一方、背貼り部８を挟んで包装袋の下側の領域は、外方に膨出する。これにより、弱化部１１に対して上下両側から引っ張る力が作用する。したがって、弱化部１１が剥離して開口１３が形成されると、開口１３が広がり、蒸気放出に伴う音の発生を抑制することが可能となる。
【００３０】
また、固着部１２は、背貼り部８に近づくほど先細り形状とされているため、固着部１２のサイズが大きくても弱化部１１に対して上下両側から引っ張る力を弱化部１１に集中させることが可能となり、開口１３をより広げることができるとともに、固着部１２のサイズを大きくすることで蒸気による固着部１２の剥離を抑制することが可能となる。
【００３１】
［第２実施形態］
図５は、本発明の包装袋の第２実施形態を示す一部正面模式図である。本実施形態においては、固着部の態様が第１実施形態と異なる点が特徴とされ、その他の構成は第１実施形態と同じとされる。
【００３２】
図示のごとく、本実施形態における固着部１２は円形とされ、帯状領域Ａ内に収まる大きさで、上シール部６と背貼り部８との中間に形成される。本実施形態のように、固着部１２が上シール部６と背貼り部８との中間に形成された場合でも、電子レンジ加熱により表裏フィルム１及び２が外方に膨らむ際に、背貼り部８を挟んで包装袋の上側の領域は、固着部１２によって膨出が制限される。これにより、第１実施形態と同様に、開口が広がって蒸気放出に伴ない音の発生を抑制することが可能となる。
【００３３】
本実施形態の固着部１２は、第１実施形態の固着部１２よりもヒートシール面積が小さくなっている。これにより、本実施形態の包装袋は、第１実施形態の包装袋よりも袋本体３の容積を大きく維持することができる。その反面、蒸気発生時に固着部１２にかかる力が集中して剥離しやすくなるというデメリットも生じる。したがって、固着部のサイズ及び形状は使用用途や包装袋の形状等を総合的に考慮して設定するのが好ましい。
【００３４】
以上、本発明の実施形態につき説明したが、本発明の範囲はこれに限定されるものではなく、発明の趣旨を逸脱しない範囲で種々の変更を加えて実施することができる。本実施形態では、袋本体３として、表フィルム１と裏フィルム２の周縁部をヒートシールした態様について説明したが、これに限らず、たとえば、表フィルム１と裏フィルム２との間にガゼットを形成してもよい。
【００３５】
なお、実施形態及び上記変形例に怪異されている構成要件は互いに組合せ可能であり、組合せることにより、新しい技術的特徴を形成することができる。
【符号の説明】
【００３６】
１              表フィルム
２              裏フィルム
３              袋本体
４              右シール部
５              左シール部
６              上シール部
７              下シール部
８              背貼り部
９              ヒートシール部
１１            弱化部
１２            固着部
１３            開口
【要約】
【課題】電子レンジ加熱によって袋内部で発生する蒸気による破袋を防止しつつ音の発生を抑制可能な包装袋を提供することを目的とする。
【解決手段】電子レンジ加熱用の包装袋であって、表フィルム１と、裏フィルム２と、表フィルム１において突出形成される背貼り部８と、背貼り部８に形成される、電子レンジ加熱により剥離開口する弱化部１１とを備え、弱化部１１を弱化部１１の幅で通過し、かつ背貼り部８の長手方向Ｘに直交する方向Ｙに向かって表フィルム１に延びる帯状領域Ａ内に、表裏両フィルム１、２を固着してなる固着部１２が形成された構成とする。
【選択図】図１【図１】
0006859465.tif 000002
【図２】
0006859465.tif 000003
【図３】
0006859465.tif 000004
【図４】
0006859465.tif 000005
【図５】
0006859465.tif 000006
【図６】
0006859465.tif 000007